(57)【要約】【課題】ラベルを実際に印刷して商品に貼付しなくても、商品にマッチしたラベルであるか否か等を容易に判断できるようにし、ラベルの製作の手間とコストを削減する。【解決手段】携帯端末２からサーバ３にアクセスし、異なるデザインの多数のラベルの画像が蓄積されたデータベース１２から、必要なラベルの画像をダウンロードして記憶部７に格納し、携帯端末２のカメラ部５でＡＲマーカーが付された現実の商品を撮像することによって、携帯端末２の表示部６には、撮像した現実の商品の画像のＡＲマーカーの位置に、記憶部７に格納した前記ラベルの画像を重畳して表示し、あたかも、現実の商品にラベルが貼付されているかのように表示する。【選択図】図１
2014092949.tif 000002
【特許請求の範囲】
【請求項１】
携帯端末と、サーバとを備え、
前記携帯端末は、
ＡＲマーカーが付された現実の商品を撮像する撮像部と、前記サーバとの間で通信を行う通信部と、前記撮像部で撮像される前記ＡＲマーカーが付された現実の商品の画像に、前記通信部を介して前記サーバから取得したラベルの画像を重畳して表示する表示部とを備え、
前記サーバは、異なるデザインの複数のラベルの画像が蓄積されるデータベースと、前記携帯端末との間で通信を行う通信部と、前記通信部を介して前記携帯端末から指定されたラベルの画像を、前記データベースから検索して前記携帯端末に与える検索部とを備え、
前記携帯端末の前記表示部は、前記ＡＲマーカーが付された現実の商品の画像のＡＲマーカーの位置に、前記サーバから取得した前記ラベルの画像を重畳して表示する、
ことを特徴とするラベル提示システム。
【請求項２】
前記携帯端末は、前記サーバから取得したラベルの画像を、フォルダに分けて記憶する記憶部を有し、
前記携帯端末の前記表示部は、前記現実の商品の画像のＡＲマーカーの位置に、前記記憶部の前記フォルダから読み出したラベルの画像を重畳して表示可能である、
請求項１に記載のラベル提示システム。
【請求項３】
前記携帯端末の前記記憶部の前記フォルダには、前記サーバから取得した異なるデザインの複数のラベルの画像が記憶され、
前記携帯端末の前記表示部は、前記現実の商品の画像のＡＲマーカーの位置に、前記異なるデザインの複数のラベルの画像を切換えて表示可能である、
請求項２に記載のラベル提示システム。
【請求項４】
前記携帯端末の前記表示部は、前記現実の商品の画像のＡＲマーカーの位置に、前記サーバから取得した前記ラベルの画像を重畳した表示を、拡大、縮小可能である、
請求項２または３に記載のラベル提示システム。
【発明の詳細な説明】
【技術分野】
【０００１】
本発明は、商品にラベルを仮想的に貼付した状態を提示するラベル提示システムに関し、更に詳しくは、現実空間の商品の画像に、あたかもその商品にラベルが付されているかのように表示する、いわゆる拡張現実感（ＡＲ：Augmented Reality）技術を利用したラベル提示システムに関する。
【背景技術】
【０００２】
従来から、各種の商品を専用の包装容器に容れて販売するにあたって、商品に関連する各種の情報や装飾デザイン（以下「ラベルデザイン」という）を表示したラベルを、この包装容器の表面に貼付することが行われている（例えば、特許文献１）。
【０００３】
かかるラベルを製造販売するメーカの営業担当者は、商品の製造販売メーカである顧客に対して、商品に応じた各種のラベルデザインを提案し、顧客の要望に応じて商品に貼付するラベルデザインを決定している。
【０００４】
この場合、営業担当者は、提案するラベルデザインのラベルを実際に商品に貼付した場合に、ラベルデザインが商品にマッチするなどを顧客に判断してもらうために、提案するラベルデザインを実際にラベルに印刷し、商品に貼付して顧客に提示する場合が多い。
【先行技術文献】
【特許文献】
【０００５】
【特許文献１】特開２０１１−１５４３３０号公報
【発明の概要】
【発明が解決しようとする課題】
【０００６】
しかしながら、各種のラベルデザインのラベルを実際に印刷して商品に貼付して提案するのでは、ラベル製作のコスト及び手間がかかり、ラベルの決定までの時間を要することになる。
【０００７】
本発明は、上述のような点に鑑みてなされたものであって、ラベルを実際に印刷して商品に貼付することなく、ラベルが商品にマッチしているかなどを容易に判断できるようにすることを目的とする。
【課題を解決するための手段】
【０００８】
上記目的を達成するために、本発明では、次のように構成している。
【０００９】
（１）本発明のラベル提示システムは、携帯端末と、サーバとを備え、
前記携帯端末は、ＡＲマーカーが付された現実の商品を撮像する撮像部と、前記サーバとの間で通信を行う通信部と、前記撮像部で撮像される前記ＡＲマーカーが付された現実の商品の画像に、前記通信部を介して前記サーバから取得したラベルの画像を重畳して表示する表示部とを備え、
前記サーバは、異なるデザインの複数のラベルの画像が蓄積されるデータベースと、前記携帯端末との間で通信を行う通信部と、前記通信部を介して前記携帯端末から指定されたラベルの画像を、前記データベースから検索して前記携帯端末に与える検索部とを備え、
前記携帯端末の前記表示部は、前記ＡＲマーカーが付された現実の商品の画像のＡＲマーカーの位置に、前記サーバから取得した前記ラベルの画像を重畳して表示する。
【００１０】
本発明によると、携帯端末の利用者は、異なるデザインの複数のラベルの画像が蓄積されるデータベースから所要のラベルの画像を指定して取得し、携帯端末の撮像部でＡＲマーカーが付された現実の商品を撮像することによって、その表示部には、現実の商品の画像のＡＲマーカーの位置に、取得したラベルの画像が重畳して表示される、すなわち、現実の商品にあたかもサーバから取得したラベルが貼付されているかのように表示されるので、従来のように、ラベルを実際に印刷して商品に貼付しなくても、ラベルが商品にマッチしているかなどを判断することができる。
【００１１】
これによって、例えば、ラベルを製造販売するメーカの営業担当者が、商品の製造販売メーカである顧客に対して、商品に応じた各種のラベルデザインを提案する際に、従来のように、ラベルを実際に印刷して商品に貼付する必要がなく、ラベルの製作の手間とコストを削減することができる。
【００１２】
（２）本発明の好ましい実施態様では、前記携帯端末は、前記サーバから取得したラベルの画像を、フォルダに分けて記憶する記憶部を有し、前記携帯端末の前記表示部は、前記現実の商品の画像のＡＲマーカーの位置に、前記記憶部の前記フォルダから読み出したラベルの画像を重畳して表示可能である。
【００１３】
この実施態様によると、異なるデザインの複数のラベルの画像が蓄積されるデータベースから取得した所要のラベルの画像を、例えば、商品のカテゴリーや顧客毎の複数のフォルダに分けて格納しておくことによって、商品のカテゴリーや顧客に応じたラベルの画像を、現実の商品の画像のＡＲマーカーの位置に、重畳して表示することができる。
【００１４】
（３）上記（２）の実施態様では、前記携帯端末の前記記憶部の前記フォルダには、前記サーバから取得した異なるデザインの複数のラベルの画像が記憶され、前記携帯端末の前記表示部は、前記現実の商品の画像のＡＲマーカーの位置に、前記異なるデザインの複数のラベルの画像を切換えて表示可能としてもよい。
【００１５】
この実施態様によると、異なるデザインの複数のラベルの画像を、例えば、商品のカテゴリーや顧客に対応させて、複数のフォルダに格納しておき、ラベルを提示する際には、フォルダに格納されている異なるデザインの複数のラベルの画像を切換えて、前記現実の商品の画像のＡＲマーカーの位置に、重畳して表示できるので、異なるデザインの複数のラベルのいずれのラベルが、商品に最もマッチしているかを効率的に判断することができる。
【００１６】
（４）本発明の他の実施態様では、前記携帯端末の前記表示部は、前記現実の商品の画像のＡＲマーカーの位置に、前記サーバから取得した前記ラベルの画像を重畳した表示を、拡大、縮小可能である。
【００１７】
この実施態様によると、現実の商品の画像のＡＲマーカーの位置に、ラベルの画像を重畳した表示を、拡大、縮小できるので、任意の大きさで、商品にラベルがマッチしているかなどを判断することができる。
【発明の効果】
【００１８】
本発明によれば、携帯端末の利用者は、異なるデザインの複数のラベルの画像が蓄積されるデータベースから所要のラベルの画像を指定して取得し、携帯端末の撮像部でＡＲマーカーが付された現実の商品を撮像することによって、その表示部には、現実の商品の画像のＡＲマーカーの位置に、取得したラベルの画像が重畳して表示される、すなわち、現実の商品にあたかも取得したラベルが貼付されているかのように表示されるので、従来のように、ラベルを実際に印刷して商品に貼付しなくても、ラベルが商品にマッチしているかなどを判断することができ、これによって、ラベルの製作の手間とコストを削減することができる。
【図面の簡単な説明】
【００１９】
【図１】図１は本発明の一実施形態に係るラベル提示システムの概略構成図である。
【図２】図２は携帯端末に表示される起動画面を示す図である。
【図３】図３は携帯端末に格納されているラベルデザインの画像を示す図である。
【図４】図４はＡＲマーカーが付された現実の商品の撮像画像を示す図である。
【図５】図５は現実の商品の撮像画像にラベルの画像が重畳された表示画面を示す図である。
【図６】図６は現実の商品の撮像画像に別のラベルの画像が重畳された表示画面を示す図である。
【発明を実施するための形態】
【００２０】
以下、添付した図面を参照して、本発明の実施の形態に係るラベル提示システムについて説明する。
【００２１】
この実施形態のラベル提示システム１では、スマートホン等の多機能携帯電話機やｉＰａｄ（登録商標）等のタブレット端末等のカメラ機能を有する携帯端末２と、サーバ３とが、インターネット等の通信ネットワーク４を介して接続可能に構成されている。
【００２２】
このラベル提示システム１は、例えば、ラベルを製造販売するメーカの営業担当者が、商品の製造販売メーカである顧客に対して、商品に応じた各種のラベルデザインを提案するのに好適であり、以下の説明では、営業担当者が、顧客に対して各種のラベルデザインを提案する場合に適用して説明する。
【００２３】
営業担当者が携帯する携帯端末２は、撮像部としてのカメラ部５と、入力操作を行うと共に、画面表示を行うための表示部として機能するタッチパネル６と、サーバ３からダウンロードした各種のラベルの画像等を記憶する記憶部７と、通信ネットワーク４を介してサーバ３と通信するための通信部８と、所定の制御プログラムに従って各部を制御する制御部９とを備える。
【００２４】
この携帯端末２には、当該ラベル提示システム専用のアプリケーションプログラムが予めダウンロードされている。
【００２５】
サーバ３は、通信ネットワーク４に接続された通信部１０と、各部を制御すると共に、携帯端末２から指定されたラベルの画像を検索する検索部としての機能を有する制御部１１と、異なるラベルデザインの多数のラベルの画像が蓄積されたデータベース１２とを備えると共に、適宜、図示しないキーボードなどの入力部及び液晶ディスプレイなどの表示部が設けられる。データベース１２には、例えば、商品のカテゴリーや顧客等に応じた各種のラベルの画像が蓄積される。このサーバ３は、ラベルを製造販売するメーカによって管理される。
【００２６】
この実施形態のラベル提案システム１では、携帯端末２に、サーバ３のデータベース１２に蓄積されている各種のラベルの画像から、必要なラベルの画像を予めダウンロードしておき、携帯端末２のカメラ部５で現実の商品を撮像し、ダウンロードしたラベルの画像から所望のラベルの画像を選択することによって、携帯端末２のタッチパネル６には、撮像した現実の商品の画像に、選択したラベルの画像が重畳されて表示され、あたかも、現実の商品に、選択したラベルが貼付されているかのように表示されるものであり、拡張現実感（ＡＲ）技術を利用したシステムである。
【００２７】
この実施形態では、先ず、携帯端末２を携帯する営業担当者が、携帯端末２のタッチパネル６を操作して当該システム用のプログラムを起動する。これによって、タッチパネル６には、図２に示される起動画面１３が表示される。この起動画面１３には、「検索」、「ライブラリー」、「ＡＲ」、「ユーザボックス」、「ライトボックス」などの各ボタン１３ａ〜１３ｅが表示される。
【００２８】
営業担当者が、検索ボタン１３ａを操作すると、起動画面１３から検索画面に切換わり、例えば、商品のカテゴリーや顧客を指定することにより、携帯端末２は、サーバ３にアクセスする。これによって、サーバ３の制御部１１は、指定された商品カテゴリーや顧客に対応するラベルの画像を検索し、通信部１０を介して携帯端末２に送信する。
【００２９】
携帯端末２は、サーバ３からのラベルの画像を通信部８で受信して記憶部７のライブラリーに格納する。この場合、ライブラリーには、ラベルの画像が、商品のカテゴリーや顧客毎に複数のフォルダを分けて格納される。
【００３０】
図２の起動画面１３において、営業担当者が、ライブラリーボタン１３ｂを操作すると、図３に示すライブラリー画面１４に切換わる。このライブラリー画面１４では、携帯端末２の記憶部７にライブラリーとして記憶されている複数のフォルダが表示される。所要のフォルダを指定することによって、該フォルダに格納されているラベルデザイン、図３の例では、９個のラベルデザイン１５1〜１５9が表示される。
【００３１】
このライブラリー画面１４において、営業担当者は、顧客に対して提示するラベルデザインの画像を選択指定しておくことができる。
【００３２】
営業担当者が、顧客に対してラベルデザインの異なる複数のラベルを提案するときには、当該システムを起動した図２の起動画面１３において、ＡＲボタン１３ｃを操作する。これによって、携帯端末２のカメラ部５が起動し、カメラ部５を、図４に示す商品１６に貼付されているＡＲマーカー１７にかざして撮像する。
【００３３】
このＡＲマーカー１７は、拡張現実感（ＡＲ）技術を利用するためにラベルの貼付対象となる商品１６に実際に貼付される。この実施形態では、ＡＲ技術を利用し、カメラ部５で撮影した現実の商品１６の画像に、商品１６に貼付するラベルデザインの画像を拡張現実画像（ＡＲ画像）として商品１６の画像に重畳して表示するものであり、前記ＡＲマーカー１７は、現実の商品１６の画像に、ラベルデザインの画像を合成する位置を示すものである。
【００３４】
このように携帯端末２のカメラ部５を、図４に示す現実の商品１６に貼付されているＡＲマーカー１７にかざして撮像すると、タッチパネル６には、予め、上述のライブラリー画面で選択したラベルデザインの画像１５2が、図５に示すように、ＡＲマーカー１７の位置に表示される。この場合、ＡＲマーカー１７の画像に代えて、ラベルデザイン１５2の画像がＡＲ画像として表示される。
【００３５】
これによって、あたかも、現実の商品１６に、選択したラベルデザイン１５2のラベルが貼付されているかのように表示される。
【００３６】
顧客は、図５の現実の商品１６に、選択したラベルデザイン１５2が重畳されたＡＲ画像から、選択したラベルデザイン１５2が商品１６にマッチしているかどうかといったことを判断することができる。
【００３７】
この図５において、ラベルデザイン１５2のラベルをスライドタップすると、例えば、図６に示すように、別のパターンのラベルデザイン１５6の画像に切換えて表示することができる。
【００３８】
このように、顧客に対して、異なるラベルデザインの複数のラベルを、商品１６に貼付した状態のＡＲ画像として切換え表示できるので、複数のラベルの内、いずれのラベルが商品１６に最もマッチしているかを判断することができる。
【００３９】
また、図５や図６のＡＲ画像のラベルデザイン１５2，１５6のラベルをピンチアップすることで拡大、ピンチダウンすることで縮小することができる。
【００４０】
更に、好みのＡＲ画像をライトボックスに保存することができ、また、図２の起動画面１３において、ライトボックスボタン１３ｅを操作することによって、保存されたＡＲ画像を見ることができる。
【００４１】
以上説明したように本実施形態によれば、先ず、営業担当者は、携帯端末２を操作して、サーバ３にアクセスし、異なるデザインの多数のラベルの画像が蓄積されたデータベース１２から、商品カテゴリーや顧客等に対応する所要のラベルの画像をダウンロードして携帯端末２の記憶部７にライブラリーとして格納しておく。次に、格納したラベルの画像を表示するライブラリー画面から顧客に提示する任意のラベルの画像を選択しておき、携帯端末２のカメラ部５でＡＲマーカー１７が付された商品１６を撮像することによって、携帯端末２のタッチパネル６には、カメラ部５で撮像した現実の商品１６の画像のＡＲマーカー１７の位置に、選択されたラベルの画像が重畳されたＡＲ画像が表示される。すなわち、あたかも、現実の商品１６に、選択したラベルが貼付されているかのように表示される。
【００４２】
営業担当者は、表示されるＡＲ画像を顧客に提示することによって、顧客は、選択したラベルが、商品１６にマッチしているか否かといったことを判断することができる。これによって、従来のように、ラベルを実際に印刷して商品に貼付して顧客に提示する必要がなく、ラベルの製作の手間とコストを削減することができる。
【００４３】
しかも、サーバ３のデータベース１２に蓄積されている多数のラベルの画像を対象として、現実の商品１６の画像に重畳したＡＲ画像を顧客に提示することができるので、数多くのラベルを顧客に対して提案することができ、営業担当者の営業活動を支援するツールとして有効である。
【符号の説明】
【００４４】
１              ラベル提示システム
２              携帯端末
３              サーバ
４              通信ネットワーク
５              カメラ部（撮像部）
６              タッチパネル（表示部）
１０            通信部
１１            制御部（検索部）
１５            ラベルデザイン
１６            商品
１７            ＡＲマーカー
【図１】
2014092949.tif 000003
【図２】
2014092949.tif 000004
【図３】
2014092949.tif 000005
【図４】
2014092949.tif 000006
【図５】
2014092949.tif 000007
【図６】
2014092949.tif 000008